(57)【要約】【課題】端末機器に十分な電力を供給でき、制御装置と端末機器間の距離を延長することを可能とするＡＩＳＧデバイスおよびアンテナ制御システムを提供する。【解決手段】ＡＩＳＧ規格に準拠した複数のオス型の入力コネクタ２と、ＡＩＳＧ規格に準拠した少なくとも１つのメス型の出力コネクタ３と、を備え、各入力コネクタ２と出力コネクタ３との間で、電源ラインとなる端子同士、およびＤＣリターンとなる端子同士をそれぞれ電気的に接続すると共に、少なくとも１つの入力コネクタ２と出力コネクタ３との間で、制御信号ラインとなる端子同士を電気的に接続したものである。【選択図】図１
2013162350.tif 000002
【特許請求の範囲】
【請求項１】
ＡＩＳＧ規格に準拠した複数のオス型の入力コネクタと、
ＡＩＳＧ規格に準拠した少なくとも１つのメス型の出力コネクタと、を備え、
前記各入力コネクタと前記出力コネクタとの間で、電源ラインとなる端子同士、およびＤＣリターンとなる端子同士をそれぞれ電気的に接続すると共に、
少なくとも１つの前記入力コネクタと前記出力コネクタとの間で、制御信号ラインとなる端子同士を電気的に接続した
ことを特徴とするＡＩＳＧデバイス。
【請求項２】
前記各入力コネクタと前記出力コネクタとの間で電源ラインとなる端子同士を接続する内部配線に、電流の逆流を防止するためのダイオードを設けた
請求項１記載のＡＩＳＧデバイス。
【請求項３】
アンテナの制御を行うアンテナ制御部をさらに備え、
前記各入力コネクタの電源ラインとなる端子、およびＤＣリターンとなる端子を前記アンテナ制御部に電気的に接続すると共に、少なくとも１つの前記入力コネクタの制御信号ラインとなる端子を前記アンテナ制御部に電気的に接続した
請求項１または２記載のＡＩＳＧデバイス。
【請求項４】
前記各入力コネクタと前記出力コネクタとの間で、制御信号ラインとなる端子同士を、切替回路を介してそれぞれ電気的に接続するように構成し、
前記切替回路により、前記出力コネクタに制御信号ラインを接続する前記入力コネクタを切替可能に構成した
請求項１〜３いずれかに記載のＡＩＳＧデバイス。
【請求項５】
前記電源ラインに電源が供給されているか否かを検出する電源検出回路と、
前記電源検出回路が前記電源ラインに電源が供給されていないことを検出したとき、前記入力コネクタと前記出力コネクタとの間で前記制御信号ラインを遮断する遮断回路と、をさらに備えた
請求項１〜４いずれかに記載のＡＩＳＧデバイス。
【請求項６】
無線基地局のアンテナの制御を行う１台以上の端末機器と、
前記端末機器に制御信号を送信し、前記端末機器を制御して前記アンテナの制御を行うと共に、前記端末機器に電源を供給する制御装置と、
前記制御装置と前記端末機器、および前記端末機器同士を接続するために用いられる制御ケーブルと、を備え、
ＡＩＳＧ規格に準拠して前記アンテナの制御を行うアンテナ制御システムにおいて、
請求項１〜５いずれかに記載のＡＩＳＧデバイスと、
ＡＩＳＧ規格に準拠した１つのオス型の入力コネクタと、ＡＩＳＧ規格に準拠した複数のメス型の出力コネクタと、を備えたＡＩＳＧ分配器と、を備え、
前記制御装置と前記ＡＩＳＧ分配器の入力コネクタとを前記制御ケーブルで接続すると共に、前記ＡＩＳＧデバイスの出力コネクタと前記端末機器とを前記制御ケーブルで接続し、
かつ、前記ＡＩＳＧ分配器の複数の出力コネクタと、前記ＡＩＳＧデバイスの複数の入力コネクタとを、複数の前記制御ケーブルを用いてそれぞれ接続した
ことを特徴とするアンテナ制御システム。
【請求項７】
無線基地局のアンテナの制御を行う１台以上の端末機器と、
前記端末機器に制御信号を送信し、前記端末機器を制御して前記アンテナの制御を行う制御装置と、
前記制御装置と前記端末機器、および前記端末機器同士を接続するために用いられる制御ケーブルと、を備え、
ＡＩＳＧ規格に準拠して前記アンテナの制御を行うアンテナ制御システムにおいて、
請求項１〜５いずれかに記載のＡＩＳＧデバイスと、
前記端末機器に電源を供給する給電装置と、を備え、
前記ＡＩＳＧデバイスの出力コネクタと前記端末機器とを前記制御ケーブルで接続すると共に、前記ＡＩＳＧデバイスの複数の入力コネクタに、前記制御装置と前記給電装置とを前記制御ケーブルを用いてそれぞれ接続した
ことを特徴とするアンテナ制御システム。
【発明の詳細な説明】
【技術分野】
【０００１】
本発明は、ＡＩＳＧ（Antenna Interface Standards Group）規格に準拠してアンテナの制御を行うアンテナ制御システムに用いられるＡＩＳＧデバイスおよびアンテナ制御システムに関するものである。
【背景技術】
【０００２】
移動通信用の無線基地局では、一般に、アンテナのチルト制御を遠隔制御により行えるようになっている。当初は、アンテナの制御方式としてメーカーごとに独自の方式を用いていたが、近年のＬＴＥ（Long Term Evolution）無線基地局などでは、アンテナの制御をＡＩＳＧ規格で行うことが多くなっている。ＡＩＳＧ規格は、アンテナの基本的な相互運用を確実にすべく標準化された規格である（例えば、特許文献１参照）。
【０００３】
図１１に示すように、ＡＩＳＧ規格に準拠してアンテナの制御を行う従来のアンテナ制御システム１１１は、無線基地局のアンテナ（図示せず）の制御を行うＲＥＴ（Remote Electrical Tilt）ユニットなどの端末機器（ＡＩＳＧ端末機器）１１２と、端末機器１１２に制御信号（ＲＳ４８５規格信号）を送信し、端末機器１１２を制御してアンテナの制御を行うと共に、端末機器１１２に電源を供給する制御装置（ＡＩＳＧ制御装置）１１３と、制御装置１１３と端末機器１１２とを接続する制御ケーブル（ＡＩＳＧ制御ケーブル）１１４と、を備えている。制御ケーブル１１４は、図示していないが、制御信号を伝送するための制御信号線と、電源を供給するための電源線とを備えている。
【０００４】
ＡＩＳＧ規格にて規定されているコネクタの端子の番号（Pin Number）、各端子で伝搬する信号（Signal）、必須接続（Mandatory）であるか任意接続（Optional）であるかという要求（Requirement）を表１に示す。
【０００５】
【表１】
2013162350.tif 000003
【０００６】
表１に示すように、ＡＩＳＧ規格では、１番の＋１２Ｖ、２番の−４８Ｖ、６番の１０〜３０Ｖの３種類の電源ラインが用意されており、＋１２Ｖと−４８Ｖの電源ラインは任意接続、１０〜３０Ｖの電源ラインは必須接続とされている。なお、表１における８番のＮＣは無接続（No Connection）を意味している。
【先行技術文献】
【特許文献】
【０００７】
【特許文献１】特表２０１０−５１９８０４号公報
【発明の概要】
【発明が解決しようとする課題】
【０００８】
しかしながら、上述のＡＩＳＧ規格に準拠したアンテナ制御システム１１１では、制御ケーブル１１４の電源線に使用できる導体線心の太さに上限があるため、電源線の導体抵抗を下げることには限界があるという問題がある。これは、電源線を太くすると、制御ケーブル１１４全体の径が太くなり、現在一般に使用されているＡＩＳＧ規格に準拠したコネクタ（ＡＩＳＧコネクタ）への制御ケーブル１１４の接続が困難になるためである。
【０００９】
制御装置１１３の供給電圧をＶ0、端末機器１１２の消費電力（負荷電力）をＰL、制御装置１１３から端末機器１１２に至る制御ケーブル１１４の抵抗値をＲ（往復の抵抗値は２Ｒとなる）とすると、アンテナ制御システム１１１の等価回路は図１２（ａ）のように表すことができる。制御ケーブル１１４の抵抗Ｒは、制御ケーブル１１４の単位長さ当たりの導体抵抗をＲ0、制御ケーブル１１４の長さをＬとすると、Ｒ＝Ｒ0Ｌで表すことができる。
【００１０】
図１２（ａ）の等価回路より、このアンテナ制御システム１１１における制御ケーブル１１４の最大長Ｌmaxは、下式
Ｌmax＝Ｖ02／（４ＰL・２Ｒ0）
で表される。一例として、Ｖ0＝３０Ｖ，２７Ｖ，２４Ｖとしたときの負荷電力ＰLに対する制御ケーブル１１４の最大長Ｌmaxの関係を、図１２（ｂ）に示す。
【００１１】
例えば、導体抵抗Ｒ0が２４Ω／ｋｍ、負荷電力ＰLが１０Ｗ、制御装置１１３の供給電圧Ｖ0が２４Ｖであれば、制御ケーブル１１４の最大長Ｌmaxは３００ｍに制限されることになる。この場合、制御ケーブル１１４の長さが３００ｍを超えると、端末機器１１２における電力が不足してしまう。
【００１２】
また、ＡＩＳＧ規格に準拠したアンテナ制御システム１１１では、複数の端末機器１１２をデイジーチェーン接続することが可能である。しかし、多くの端末機器１１２をデイジーチェーン接続したり、消費電力の多い端末機器１１２を用いた場合には、制御ケーブル１１４の長さが短い場合であっても、端末機器１１２にて電力が不足してしまうことも考えられる。
【００１３】
このように、従来のＡＩＳＧ規格に準拠したアンテナ制御システム１１１では、制御ケーブル１１４の最大長が制限され制御装置１１３と端末機器１１２間の距離が制限されてしまい、また、多くの端末機器１１２をデイジーチェーン接続したり消費電力の多い端末機器１１２を用いた場合に、端末機器１１２にて電力が不足してしまうという問題があった。
【００１４】
そこで、本発明の目的は、上記課題を解決し、端末機器に十分な電力を供給でき、制御装置と端末機器間の距離を延長することを可能とするＡＩＳＧデバイスおよびアンテナ制御システムを提供することにある。
【課題を解決するための手段】
【００１５】
本発明は上記目的を達成するために創案されたものであり、ＡＩＳＧ規格に準拠した複数のオス型の入力コネクタと、ＡＩＳＧ規格に準拠した少なくとも１つのメス型の出力コネクタと、を備え、前記各入力コネクタと前記出力コネクタとの間で、電源ラインとなる端子同士、およびＤＣリターンとなる端子同士をそれぞれ電気的に接続すると共に、少なくとも１つの前記入力コネクタと前記出力コネクタとの間で、制御信号ラインとなる端子同士を電気的に接続したＡＩＳＧデバイスである。
【００１６】
前記各入力コネクタと前記出力コネクタとの間で電源ラインとなる端子同士を接続する内部配線に、電流の逆流を防止するためのダイオードを設けてもよい。
【００１７】
アンテナの制御を行うアンテナ制御部をさらに備え、前記各入力コネクタの電源ラインとなる端子、およびＤＣリターンとなる端子を前記アンテナ制御部に電気的に接続すると共に、少なくとも１つの前記入力コネクタの制御信号ラインとなる端子を前記アンテナ制御部に電気的に接続してもよい。
【００１８】
前記各入力コネクタと前記出力コネクタとの間で、制御信号ラインとなる端子同士を、切替回路を介してそれぞれ電気的に接続するように構成し、前記切替回路により、前記出力コネクタに制御信号ラインを接続する前記入力コネクタを切替可能に構成してもよい。
【００１９】
前記電源ラインに電源が供給されているか否かを検出する電源検出回路と、前記電源検出回路が前記電源ラインに電源が供給されていないことを検出したとき、前記入力コネクタと前記出力コネクタとの間で前記制御信号ラインを遮断する遮断回路と、をさらに備えてもよい。
【００２０】
また、本発明は、無線基地局のアンテナの制御を行う１台以上の端末機器と、前記端末機器に制御信号を送信し、前記端末機器を制御して前記アンテナの制御を行うと共に、前記端末機器に電源を供給する制御装置と、前記制御装置と前記端末機器、および前記端末機器同士を接続するために用いられる制御ケーブルと、を備え、ＡＩＳＧ規格に準拠して前記アンテナの制御を行うアンテナ制御システムにおいて、前記ＡＩＳＧデバイスと、ＡＩＳＧ規格に準拠した１つのオス型の入力コネクタと、ＡＩＳＧ規格に準拠した複数のメス型の出力コネクタと、を備えたＡＩＳＧ分配器と、を備え、前記制御装置と前記ＡＩＳＧ分配器の入力コネクタとを前記制御ケーブルで接続すると共に、前記ＡＩＳＧデバイスの出力コネクタと前記端末機器とを前記制御ケーブルで接続し、かつ、前記ＡＩＳＧ分配器の複数の出力コネクタと、前記ＡＩＳＧデバイスの複数の入力コネクタとを、複数の前記制御ケーブルを用いてそれぞれ接続したアンテナ制御システムである。
【００２１】
また、本発明は、無線基地局のアンテナの制御を行う１台以上の端末機器と、前記端末機器に制御信号を送信し、前記端末機器を制御して前記アンテナの制御を行う制御装置と、前記制御装置と前記端末機器、および前記端末機器同士を接続するために用いられる制御ケーブルと、を備え、ＡＩＳＧ規格に準拠して前記アンテナの制御を行うアンテナ制御システムにおいて、前記ＡＩＳＧデバイスと、前記端末機器に電源を供給する給電装置と、を備え、前記ＡＩＳＧデバイスの出力コネクタと前記端末機器とを前記制御ケーブルで接続すると共に、前記ＡＩＳＧデバイスの複数の入力コネクタに、前記制御装置と前記給電装置とを前記制御ケーブルを用いてそれぞれ接続したアンテナ制御システムである。
【発明の効果】
【００２２】
本発明によれば、端末機器に十分な電力を供給でき、制御装置と端末機器間の距離を延長することができる。
【図面の簡単な説明】
【００２３】
【図１】（ａ）は、本発明の一実施の形態に係るＡＩＳＧデバイスの概略構成図であり、（ｂ）は、（ａ）のＡＩＳＧデバイスを用いたアンテナ制御システムの概略構成図である。
【図２】本発明の他の実施の形態に係るアンテナ制御システムの概略構成図である。
【図３】本発明の他の実施の形態に係るＡＩＳＧデバイスの概略構成図である。
【図４】本発明の他の実施の形態に係るＡＩＳＧデバイスの概略構成図である。
【図５】本発明の他の実施の形態に係るＡＩＳＧデバイスの概略構成図である。
【図６】本発明の他の実施の形態に係るＡＩＳＧデバイスの概略構成図である。
【図７】本発明の他の実施の形態に係るＡＩＳＧデバイスを示す図であり、（ａ）は概略構成図、（ｂ），（ｃ）は切替回路のトリガーの一例を示す説明図である。
【図８】本発明の他の実施の形態に係るＡＩＳＧデバイスの概略構成図である。
【図９】本発明の他の実施の形態に係るＡＩＳＧデバイスの概略構成図である。
【図１０】本発明の他の実施の形態に係るＡＩＳＧデバイスの概略構成図である。
【図１１】従来のＡＩＳＧデバイスの概略構成図である。
【図１２】（ａ）は図１１の従来のＡＩＳＧデバイスの等価回路を示す図、（ｂ）は負荷電力に対する制御ケーブルの最大長の関係を示すグラフ図である。
【発明を実施するための形態】
【００２４】
以下、本発明の実施の形態を添付図面にしたがって説明する。
【００２５】
図１（ａ）は、本実施の形態に係るＡＩＳＧデバイスの概略構成図であり、図１（ｂ）は、図１（ａ）のＡＩＳＧデバイスを用いたアンテナ制御システムの概略構成図である。
【００２６】
図１（ａ）に示すように、ＡＩＳＧデバイス１は、ＡＩＳＧ規格に準拠した複数のオス型の入力コネクタ２と、ＡＩＳＧ規格に準拠した少なくとも１つのメス型の出力コネクタ３と、を備えている。本実施の形態では、２つの入力コネクタ２ａ，２ｂと、１つの出力コネクタ３を備える場合を説明するが、入力コネクタ２は３つ以上であってもよいし、出力コネクタ３は２つ以上であってもよい。これらコネクタ２，３は、ＡＩＳＧ規格に準拠した一般的なコネクタ（ＡＩＳＧコネクタ）であり、例えば、第一電子工業社製のＡＩＣ−Ｍ１６Ｒ−８ＳＣなどである。
【００２７】
ＡＩＳＧデバイス１では、各入力コネクタ２ａ，２ｂと出力コネクタ３との間で、電源ラインとなる端子同士、およびＤＣリターンとなる端子同士がそれぞれ電気的に接続される。上述のように、ＡＩＳＧ規格では、１０〜３０Ｖ，＋１２Ｖ，−４８Ｖの３つの電源ラインを備えているが、本実施の形態では、各入力コネクタ２ａ，２ｂと出力コネクタ３との間で、３つの電源ライン全てを接続するように構成している。
【００２８】
より具体的には、ＡＩＳＧデバイス１では、各入力コネクタ２ａ，２ｂと出力コネクタ３との間で、１０〜３０Ｖの電源ラインとなる６番の端子同士、＋１２Ｖの電源ラインとなる１番の端子同士、−４８Ｖの電源ラインとなる２番の端子同士、およびＤＣリターンとなる７番の端子同士を、内部配線４により電気的に接続している。
【００２９】
また、ＡＩＳＧデバイス１では、少なくとも１つの入力コネクタ２と出力コネクタ３との間で、制御信号ラインとなる端子同士が電気的に接続される。本実施の形態では、両入力コネクタ２ａ，２ｂと出力コネクタ３との間で、制御信号ラインとなる端子同士をそれぞれ電気的に接続している。
【００３０】
より具体的には、ＡＩＳＧデバイス１では、各入力コネクタ２ａ，２ｂと出力コネクタ３との間で、ＲＳ４８５Ａの制御信号ラインとなる５番の端子同士、ＲＳ４８５Ｂの制御信号ラインとなる３番の端子同士、およびＲＳ４８５ＧＮＤとなる４番の端子同士を、内部配線４により電気的に接続している。
【００３１】
つまり、ＡＩＳＧデバイス１では、各入力コネクタ２ａ，２ｂと出力コネクタ３との間で、１〜７番の端子同士（ＮＣである８番の端子以外の全ての端子同士）を、内部配線４によりそれぞれ電気的に接続している。
【００３２】
図１（ｂ）に示すように、ＡＩＳＧデバイス１は、ＡＩＳＧ規格に準拠してアンテナのチルト角等の制御を行うアンテナ制御システム１０に用いられる。
【００３３】
アンテナ制御システム１０は、無線基地局のアンテナ（図示せず）の制御を行う１台以上の端末機器（ＡＩＳＧ端末機器、ＲＥＴなど）１１と、端末機器１１に制御信号（ＲＳ４８５規格信号）を送信し、端末機器１１を制御してアンテナの制御を行うと共に、端末機器１１に電源を供給する制御装置（ＡＩＳＧ制御装置）１２と、制御装置１２と端末機器１１、および端末機器１１同士を接続するために用いられる制御ケーブル（ＡＩＳＧ制御ケーブル）１３と、を備えている。
【００３４】
なお、図１（ｂ）では、１台の端末機器１１を用いる場合を示しているが、端末機器１１の台数はこれに限定するものではなく、２台以上の端末機器１１をデイジーチェーン接続することも可能である。
【００３５】
制御装置１２には、端末機器１１に制御信号と電力を出力するためのメス型の出力コネクタ１２ａが設けられており、端末機器１１には、制御装置１２からの制御信号と電力が入力されるオス型の入力コネクタ１１ａと、デイジーチェーン接続用のメス型の出力コネクタ（図示せず）とが設けられている。また、図示していないが、制御ケーブル１３の一端にはオス型の入力コネクタが設けられ、制御ケーブル１３の他端にはメス型の出力コネクタが設けられている。これらのコネクタはＡＩＳＧ規格に準拠した一般的なコネクタであり、ＡＩＳＧデバイス１のコネクタ２，３と同じものである。
【００３６】
図１（ｂ）では、一例として、ＡＩＳＧデバイス１をＡＩＳＧ分配器１４とペアにして用いる場合を示している。ＡＩＳＧ分配器１４は、ＡＩＳＧ規格に準拠した１つのオス型の入力コネクタ１５と、ＡＩＳＧ規格に準拠した複数（ここでは２つ）のメス型の出力コネクタ１６（１６ａ，１６ｂ）とを備え、入力コネクタ１５から入力された電源信号と制御信号を分配して出力コネクタ１６ａ，１６ｂから出力するものである。
【００３７】
アンテナ制御システム１０では、制御装置１２の出力コネクタ１２ａとＡＩＳＧ分配器１４の入力コネクタ１５とが制御ケーブル１３を介して接続され、ＡＩＳＧデバイス１の出力コネクタ３と端末機器１１の入力コネクタ１１ａとが制御ケーブル１３を介して接続され、かつ、ＡＩＳＧ分配器１４の出力コネクタ１６ａ，１６ｂと、ＡＩＳＧデバイス１の入力コネクタ２ａ，２ｂとが、２本の制御ケーブル１３を用いてそれぞれ接続されている。
【００３８】
ＡＩＳＧ分配器１４とＡＩＳＧデバイス１の間では、２本の制御ケーブル１３が並列接続されることになるので、抵抗値（電源ラインの抵抗値）が１／２になる。なお、ここでは、ＡＩＳＧ分配器１４とＡＩＳＧデバイス１との間を２本の制御ケーブル１３を用いて接続したが、ＡＩＳＧ分配器１４とＡＩＳＧデバイス１との間を接続する制御ケーブル１３の本数は３本以上としてもよく、制御ケーブル１３の本数を増やすほど、ＡＩＳＧ分配器１４とＡＩＳＧデバイス１間の抵抗値を低くすることが可能になる。
【００３９】
つまり、本実施の形態に係るＡＩＳＧデバイス１によれば、ＡＩＳＧ分配器１４とペアにして用い、両者の間を複数の制御ケーブル１３で接続することで、制御装置１２から端末機器１１に至る電源供給用の線路全体における導体抵抗を減少させることが可能になる。その結果、端末機器１１に十分な電力を供給することが可能となり、従来と比較して、制御ケーブル１３の最大長を延長することが可能になる。
【００４０】
なお、制御装置１２から端末機器１１に至る電源供給用の線路全体における導体抵抗を低くするためには、制御装置１２とＡＩＳＧ分配器１４間、およびＡＩＳＧデバイス１と端末機器１１間の制御ケーブル１３は、なるべく短くすることが望ましい。また、ここでは制御装置１２と端末機器１１間にＡＩＳＧデバイス１とＡＩＳＧ分配器１４のペアを１組設けた場合を説明したが、制御装置１２と端末機器１１間にＡＩＳＧデバイス１とＡＩＳＧ分配器１４のペアを複数組設けることも勿論可能である。
【００４１】
本実施の形態に係るＡＩＳＧデバイス１は、ＡＩＳＧ規格に準拠したアンテナ制御システム１０において、何らかの理由で制御ケーブル１３の距離（すなわち制御装置１２と端末機器１１間の距離）を長くしたいとき、あるいは、多くの端末機器１１を接続したい場合や大電力の端末機器１１を使用したい場合などに、好適に用いることができる。
【００４２】
次に、本発明の他の実施の形態を説明する。
【００４３】
図２に示すアンテナ制御システム２１は、制御装置１２以外の独立電源（商用電源など）からなる給電装置（ＡＩＳＧ給電装置）２２を備え、給電装置２２により端末機器１１に給電を行うように構成したものである。アンテナ制御システム２１では、ＡＩＳＧ分配器１４を用いずに、ＡＩＳＧデバイス１の入力コネクタ２ａ，２ｂに、制御装置１２と給電装置２２とを制御ケーブル１３を用いてそれぞれ接続している。
【００４４】
アンテナ制御システム２１によれば、制御装置１２とＡＩＳＧデバイス１間の制御ケーブル１３の抵抗の影響を受けずに給電を行うことができるので、図１（ｂ）のアンテナ制御システム１と同様に、端末機器１１に十分な電力を供給し、制御ケーブル１３の最大長を延長することが可能になる。なお、制御装置１２から端末機器１１に至る電源供給用の線路全体における導体抵抗を低くするためには、給電装置２２とＡＩＳＧデバイス１間、およびＡＩＳＧデバイス１と端末機器１１間の制御ケーブル１３は、なるべく短くすることが望ましい。
【００４５】
なお、制御装置１２が出力する電源電圧と、給電装置２２が出力する電源電圧は、一致していなくてもよい。例えば、制御装置１２から１０〜３０Ｖの電源のみが出力されているときに、給電装置２２として、＋１２Ｖと１０〜３０Ｖの電源が出力されるものを用いてもよい。給電装置２２で出力する電源電圧を選択することで、制御装置１２から給電していない電源電圧を使用する端末機器１１を接続して動作させることも可能になる。
【００４６】
図３に示すＡＩＳＧデバイス３１は、図１（ａ）のＡＩＳＧデバイス１において、各入力コネクタ２ａ，２ｂと出力コネクタ３との間で電源ラインとなる端子同士を接続する内部配線４に、電流の逆流を防止するためのダイオード３２を設けたものである。
【００４７】
１０〜３０Ｖ，＋１２Ｖの電源ラインでは、正常時には入力コネクタ２ａ，２ｂから出力コネクタ３に向かって電流が流れるので、ダイオード３２は、アノードが入力コネクタ２ａ，２ｂ側、カソードが出力コネクタ３側となるようにそれぞれ設けられる。また、−４８Ｖの電源ラインでは、正常時には出力コネクタ３から入力コネクタ２ａ，２ｂに向かって電流が流れるので、ダイオード３２は、アノードが出力コネクタ３側、カソードが入力コネクタ２ａ，２ｂ側となるようにそれぞれ設けられる。
【００４８】
入力コネクタ２はオス型のコネクタであり端子が外部に露出しているので、例えば入力コネクタ２ａが接続されて電源が供給されているときに入力コネクタ２ｂが非接続の状態であると、その非接続の入力コネクタ２ｂの露出した端子に金属等が接触することによりショートが発生してしまったり、あるいは露出した端子に指等が接触することにより感電してしまうおそれが生じる。ＡＩＳＧデバイス３１によれば、ダイオード３２を設けることにより電流の逆流を防止して非接続の入力コネクタ２に電圧があらわれないようにすることが可能になるので、ショートや感電のおそれをなくすことができる。
【００４９】
図４に示すＡＩＳＧデバイス４１は、図１（ａ）のＡＩＳＧデバイス１において、出力コネクタ３を複数設けるようにしたものである。ここでは、２つの出力コネクタ３ａ，３ｂを設けた場合を示しているが、出力コネクタ３の数は３つ以上であってもよい。ＡＩＳＧデバイス４１では、４つの入出力のコネクタ２ａ，２ｂ，３ａ，３ｂの１〜７番の端子同士が、それぞれ電気的に接続されている。ＡＩＳＧデバイス４１のように出力コネクタ３を複数設けることで、ＡＩＳＧデバイス４１に分配器としての機能を付与することが可能になる。
【００５０】
図５に示すＡＩＳＧデバイス５１は、図１（ａ）のＡＩＳＧデバイス１において、アンテナの制御を行うアンテナ制御部５２をさらに備え、各入力コネクタ２ａ，２ｂの電源ラインとなる端子、およびＤＣリターンとなる端子を内部配線４によりアンテナ制御部５２に電気的に接続すると共に、少なくとも１つ（ここでは２つ）の入力コネクタ２ａ，２ｂの制御信号ラインとなる端子をアンテナ制御部５２に電気的に接続したものである。アンテナ制御部５２は、例えばＲＥＴユニット等であり、ＡＩＳＧデバイス５１は、端末機器１１を同一筐体内に内蔵したもの（あるいは本発明のＡＩＳＧデバイスを内蔵した端末機器１１）と換言することができる。ＡＩＳＧデバイス５１によれば、ＡＩＳＧデバイス５１を端末機器１１の１つとして用いることが可能になる。
【００５１】
図６に示すＡＩＳＧデバイス６１は、図１（ａ）のＡＩＳＧデバイス１において、一方の入力コネクタ２ｂと出力コネクタ３との間で、＋１２Ｖの電源ラインを非接続としたものである。ＡＩＳＧデバイス６１のように、入出力のコネクタ２、３間で、３つの電源ラインのうち一部のみ（１つまたは２つ）を接続するようにしてもよい。ただし、ＡＩＳＧ規格では１０〜３０Ｖの電源ラインは必須接続となっているので、１０〜３０Ｖの電源ラインについては、入出力のコネクタ２，３間で接続しておく必要がある。
【００５２】
図７（ａ）に示すＡＩＳＧデバイス７１は、図１（ａ）のＡＩＳＧデバイス１において、各入力コネクタ２ａ，２ｂと出力コネクタ３との間で、制御信号ラインとなる端子同士を、切替回路７２を介してそれぞれ電気的に接続するように構成し、切替回路７２により、出力コネクタ３に制御信号ラインを接続する入力コネクタ２を切替可能に構成したものである。つまり、ＡＩＳＧデバイス７１は、複数の入力コネクタ２ａ，２ｂの中の１系統だけを選択して出力コネクタ３へ接続するように構成したものである。
【００５３】
ここでは、切替回路７２として２接点のスイッチを３つ用いた３連動のスイッチを用いる場合を示しているが、切替回路７２に用いるスイッチは機械式（リレー等）、電子式のいずれでもよい。切替回路７２として電源が必要なものを用いる場合には、電源ラインから切替回路７２に給電するよう構成すればよい。
【００５４】
切替回路７２の切替のトリガとしては、図７（ｂ）に示すように、外部から切替制御信号用入力端子７３を介して入力される切替制御信号を用いてもよいし、図７（ｃ）に示すように、筐体表面に手動操作用の操作スイッチ７４を設け、その操作スイッチ７４の操作をトリガとして切替を行うようにしてもよい。
【００５５】
例えば、図１（ｂ）のようにＡＩＳＧ分配器１４とペアにして用いる場合に、各制御ケーブル１３を通過した制御信号を合成して出力するようＡＩＳＧデバイスを構成していると、ＡＩＳＧ分配器１４とＡＩＳＧデバイス間を接続する制御ケーブル１３の長さが極端に異なる場合等に、制御信号が遅延の影響を受けて正常な通信が行えなくなるおそれがある。ＡＩＳＧデバイス７１では、切替回路７２により出力コネクタ３に制御信号ラインを接続する入力コネクタ２を切替可能とし、制御信号ラインについては出力コネクタ３と入力コネクタ２とを１対１の関係にしているため、ＡＩＳＧ分配器１４とＡＩＳＧデバイス１７間を接続する制御ケーブル１３の長さの差の影響を受けず、正常な通信を行うことが可能である。
【００５６】
図８に示すＡＩＳＧデバイス８１は、図１（ａ）のＡＩＳＧデバイス１において、一方の入力コネクタ２ｂと出力コネクタ３との間で、制御信号ラインを非接続としたものである。ＡＩＳＧデバイス８１のように、制御信号入力用の入力コネクタ２ａを予め決定しておき、その入力コネクタ２ａと出力コネクタ３との間のみ制御信号ラインを接続するようにしてもよい。この場合、制御信号入力用の入力コネクタ２ａが作業者に識別できるよう、目印等を設けておくことが望ましい。
【００５７】
なお、図７（ａ）のＡＩＳＧデバイス７１、および図８のＡＩＳＧデバイス８１においては、入力コネクタ２ａ，２ｂの両方に、それぞれ制御装置１２を接続するように構成することも可能である。この場合、制御信号ラインが出力コネクタ３に接続されない入力コネクタ２に接続された制御装置１２は、給電装置として動作することになる。
【００５８】
図９に示すＡＩＳＧデバイス９１は、図１（ａ）のＡＩＳＧデバイス１において、出力コネクタ３の近傍にサージ保護回路９２を備え、雷サージなどの外部で発生したサージ電圧から制御装置１２や端末装置１１を保護するようにしたものである。サージ保護回路９２に替えて電流制限素子を設け、電源ラインや制御信号ラインに過大な電流が流れないようにしてもよい。
【００５９】
図１０に示すＡＩＳＧデバイス１０１は、図１（ａ）のＡＩＳＧデバイス１において、電源ラインに電源が供給されているか否かを検出する電源検出回路１０２と、電源検出回路１０２が電源ラインに電源が供給されていないことを検出したとき、入力コネクタ２と出力コネクタ３との間で制御信号ラインを遮断する遮断回路１０３と、をさらに備えたものである。
【００６０】
ＡＩＳＧデバイス１０１では、電源検出回路１０２は、１０〜３０Ｖ，＋１２Ｖ，−４８Ｖの３つの電源が全て供給されていないときに、スイッチ制御信号を出力するように構成される。また、遮断回路１０３は、電源検出回路１０２からスイッチ制御信号が入力されたときに、入出力のコネクタ２，３間で制御信号ラインを電気的に遮断するように構成される。本実施の形態では、遮断回路１０３として、１接点（開閉のみの切替）のスイッチを３つ用いた３連動のスイッチを用いている。
【００６１】
ＡＩＳＧデバイス１０１によれば、電源が供給されていないとき、すなわち端末機器１１を使用しないときに、制御信号ラインを遮断することが可能となり、端末機器１１を使用しないときに外部で発生したサージ等の影響を無くし、比較的サージに弱い端末機器１１や制御装置１２内の制御信号の処理回路（電子回路）を保護することが可能になる。
【００６２】
本発明は上記実施の形態に限定されるものではなく、本発明の趣旨を逸脱しない範囲で種々の変更を加え得ることは勿論である。
【００６３】
例えば、上記実施の形態では、入出力のコネクタ２，３間でＲＳ４８５ＧＮＤとなる４番の端子同士を接続したが、ＲＳ４８５ＧＮＤは必須接続ではないため、接続を省略することが可能である。同様に、ＡＩＳＧ規格で接続要求が任意接続（ｏｐｔｉｏｎａｌ）である端子については、入出力のコネクタ２，３間の接続を省略することが可能である。
【符号の説明】
【００６４】
１  ＡＩＳＧデバイス
２  入力コネクタ
３  出力コネクタ
４  内部配線
１０  アンテナ制御システム
１１  端末機器
１２  制御装置
１３  制御ケーブル
１４  ＡＩＳＧ分配器
【図２】
2013162350.tif 000004
【図１１】
2013162350.tif 000005
【図１２】
2013162350.tif 000006
【図１】
2013162350.tif 000007
【図３】
2013162350.tif 000008
【図４】
2013162350.tif 000009
【図５】
2013162350.tif 000010
【図６】
2013162350.tif 000011
【図７】
2013162350.tif 000012
【図８】
2013162350.tif 000013
【図９】
2013162350.tif 000014
【図１０】
2013162350.tif 000015